(57)【特許請求の範囲】
【請求項１】
キーボード部と、
パームレスト部を手前側に設けた本体と、
該本体と第１のヒンジ部に開閉可能に支持された蓋部とからなり、
更に前記キーボード部と前記蓋部とが第２のヒンジ部に回動可能に支持され、且つ前 記本体のスライド案内溝と前記キーボード部のフック部とがスライド可能に支持されて 、
前記蓋部の開動作に連動して、前記キーボード部が手前側から奥側に移動し、前記キ  ーボード部の手前側に前記パームレスト部を露出し、
前記蓋部の閉動作に連動して、前記キーボード部が奥側から手前側に移動し、前記キ  ーボード部の下部に前記パームレスト部を重ねることが可能な構成を有することを特徴  とする情報処理装置。
【発明の詳細な説明】
【０００１】
【発明の属する技術分野】
本発明は、キーボードを内蔵した装置で、例えばノート型のパーソナルコンピューターやワードプロセッサのような携帯用情報処理装置に関する。
【０００２】
【従来の技術】
携帯用情報処理装置は小型・軽量化と同時に、特にキー操作を行うのに安定な姿勢を長時間、保持できる構造が要求されている。
このための解決技術としては、特開平６−１２１４８号公報に記載された装置がある。この装置はキーボード部の傾斜を収納時とキー操作時とで変化させている。
【０００３】
【発明が解決しようとする課題】
上記特開平６−１２１４８号公報に記した装置の取扱方法は、先ず蓋部の表示部を開き、次にキーボード部を前方に引き出す。この結果回転アームに連結されたキーボード部はキーボード部前端が机に当接した状態つまりキーボード部が傾斜した姿勢に設置される。そしてキー入力の操作を開始する。
【０００４】
このキーボード部からキー入力する時の掌及び腕の姿勢は下記のようになる。
１）  机上に手の掌と肘とを載置する姿勢、
２）  掌を宙に浮かせ、机上に肘を載置する姿勢、
のいずれかになる。
しかし机上に掌と肘とを置いた状態では、掌と腕との曲折角度が大きくなるため敏速なキー操作は困難である。また掌を宙に浮かせ机上に肘を載置した状態では掌が疲労し長時間のキー操作は困難である。
【０００５】
従って本発明の目的は、キーボード部のほかにパームレスト部をも内蔵させた小型の情報処理装置を提供し、結果としてキーの操作性を改善しようとするものである。
【０００６】
【課題を解決するための手段】
請求項１に記載の発明は、キーボード部と、パームレスト部を手前側に設けた本体と、  該本体と第１のヒンジ部に開閉可能に支持された蓋部とからなり、更に前記キーボード部と前記蓋部とが第２のヒンジ部に回動可能に支持され、且つ前記本体のスライド案内溝と前記キーボード部のフック部とがスライド可能に支持されて、前記蓋部の開動作に連動して、前記キーボード部が手前側から奥側に移動し、前記キーボード部の手前側に前記パームレスト部を露出し、前記蓋部の閉動作に連動して、前記キーボード部が奥側から手前側に移動し、前記キーボード部の下部に前記パームレスト部を重ねることが可能な構成を有することを特徴とする情報処理装置を提供する。
【０００８】
【発明の実施の形態】
＜第１の実施例＞
本発明の第１の実施例を図面に基づいて説明する。
図１は本発明に係る携帯用情報処理装置の構成図である。
携帯用情報処理装置は大別して蓋部３とキーボード部２とパームレスト部１１を有する本体１とに分類される。
【０００９】
蓋部３は本体１と連結されるヒンジ部３１と、キーボード部２のアーム部２１と連結されるヒンジ部２４を有し、蓋部３の内部に表示部３３を有する。
次にキーボード部２は両側面にアーム２１とフック部２２と複数のキースイッチ２５等を有する。
また本体１は内部に所定の電子回路を有すると共に、本発明の特徴として手前側に奥側よりも一段低いパームレスト部１１を有し、かつその両側面に前記フック部２２と後述のように結合するスライド案内溝１２を有する。
【００１０】
図２は本発明に係るパームレスト本体の構成図である。
本体１は全体として奥行きＬ１約２３０mm、幅Ｌ２約３０５mmである。そして両側面にはキーボード部２のフック部２２がスライド可能な溝１１を有している。本体１の手前側に一体的に設けたパームレスト部１１の高さＷ２は約７mmであり、奥側の回路内蔵部の高さＷ１は約１５mmに比して一段低くなっている。
【００１１】
次に、図１を参照しながら構成と動作を説明する。
蓋部３は本体１とヒンジ部３１で連結され、この蓋部３はヒンジ部３１を中心に回転可能である。（この明細書においては、開閉の中心部であるヒンジ部３１側を奥側、開閉される先端側を手前側と呼ぶ。）また、蓋部３のヒンジ部２４はキーボード部２のアーム部２１と連結され、従ってアーム部２１はヒンジ部２４を中心に回転可能である。
【００１２】
図３はキーボード部と本体のパームレスト部との係合関係を説明する要部分解斜視図である。
キーボード部２の側面にアーム部２１が一体成形若しくはネジ等で固定されている。このアーム部２１の基部にフック部２２が設けられ、その内側にローラ２３が回動可能に取り付けられている。ローラ２３は直径約４mm、幅約５mmの円柱形状である。
【００１３】
パームレスト部１１の案内溝１２はフック部２２のローラ２３と大略同じ大きさの幅約４mm、深さ約５mmであり、溝の長さは手前側から奥側まで約８６mmの形状である。このローラ２３がパームレスト部１１の両側面の溝１２内にそれぞれ係合した状態で手前側から奥側まで往復移動可能である。
蓋部３が閉じ始められると、蓋部３がヒンジ部３１を中心に反時計方向に回転を開始する。そして蓋部３とアーム２１がヒンジ部２４にて回転可能に連結されているため、アーム部２１が手前側に押されてローラ２３が溝１２内を手前側に移動する。従って、これら３者のリンク結合を通してキーボード部２がパームレスト部１１の上部を手前側に移動する。
図４は本発明に係る携帯用情報処理装置の蓋部が閉じられた状態を説明する斜視図である。
【００１４】
キーボード部２が本体１の上部を手前側に移動すると、結果としてキーボード部の下部にパームレスト部１１が隠蔽されたところで蓋部３が閉じ終わる。この時本体１の手前側の１段低いパームレスト部１１の上にキーボード部２を重ねて収納した形となる。
上記と逆に、蓋部３が開けられ始めると、蓋部３がヒンジ部３１を中心に時計方向に回転を開始する。そして蓋部３とアーム２１がヒンジ部２４にて回転可能に連結されているので、これら相互のリンク結合機構によりアーム部２１が奥側に引っ張られてローラ２３が溝１２内を奥側に移動する。そしてキーボード部２も奥側に移動する。結果として蓋部３が開かれてキー入力可能な状態になる。そしてキーボード部２の手前に前記パームレスト部１１が突出した構成となる。
【００１５】
図５は本実施例を適用した装置でキー操作する姿勢を示す斜視図である。
蓋部３を開くとパームレスト部１１がキーボード部２の前部に約幅Ｗ３０〜５０mm露出する。この場合、本体１に段差を設けてパームレスト部１１を構成しているため装置を使用する状態においては、この段差のエッジ部がキーボード部２の下面を支えた状態となり、キーへの押圧力を加えた時の不安定さを解消することができる。従ってパームレスト部１１に掌を置き、そして装置を載置した机に肘を置いてキー入力できる。結果としてキー操作をするのに安定な姿勢を長時間保持できる。
【００１６】
本実施例は左右両側に係合部を設けたが、片側だけでもかまわない。
＜第２の実施例＞
図６は第２の実施例に係る係合部を説明する斜視図である。
第１の実施例は、キーボード部２とパームレスト部１１の係合部を両側面に有する。しかし、第２の実施例は案内溝１２とフック部２２との係合部をパームレスト本体１の中央に有する点で相違する。但し第１の実施例と同じ意味の物には同じ番号を付与している。
【００１７】
図７は第２の実施例に係るキーボード部とパームレスト部の係合を説明する要部斜視図である。
本体１のパームレスト部１１に設けた案内溝１２は上部を開口した断面四角形であり、手前側から奥側まで貫通している。そしてフック部２２の先端にローラ２３が左右に２個取り付けられている。このローラ２３がパームレスト部１１の溝１２内に係合し、蓋部３の開閉に連動して往復移動可能である。
【００１８】
蓋部３の開閉に伴ってキーボード部２とパームレスト部１１を備えた本体１との動作は上述した第１の実施例と同じである。
また、第２実施例はパームレスト本体１の中央部に係合部を設けたが、中央に限られたものではない。
尚、以上の実施例は、本体１とキーボード部２と蓋部３とをリンク機構で連結して蓋部３の開閉動作に連動して、相対的にパームレスト部１１を出し入れする機構について説明したが、パームレスト部１１を設けた段差の有る本体１上で蓋部３と連動することなくキーボード部２を前後にスライド可能とした構成も本発明に含まれるのは言うまでもない。
【００１９】
【発明の効果】
以上説明したとおり、本発明のような構成にした装置は蓋部を開けることにより自動的に机上面とキーボード部の間にパームレスト部を設けることができる。そして掌をパームレスト部に置き、机上に肘を置き、指でキーを押下でき、結果としてキー操作をするのに安定な姿勢を長時間、保持できる。
【図面の簡単な説明】
【図１】  本発明に係る携帯用情報処理装置の構成図、
【図２】  本発明に係るパームレスト部を備えた本体の構成図、
【図３】  キーボード部とパームレスト部の係合関係を説明する要部分解斜視図、
【図４】  本発明に係る携帯用情報処理装置の蓋部が閉じられた、状態を説明する斜視図、
【図５】  本実施例を適用した装置でキー入力する姿勢を示す図、
【図６】  第２の実施例に係る係合を説明する要部分解斜視図、
【図７】  第２の実施例に係るキーボード部とパームレスト部の係合関係を説明する要部分解斜視図である。
【符号の説明】
１  情報処理装置本体
１１  パームレスト部
１２  スライド案内溝
２  キーボード部
２１  アーム部
２２  フック部
２３  ローラ
２４  ヒンジ部
２５  キースイッチ
３  蓋部
３１  ヒンジ部
３２  係止部
３３  表示部
【図１】
0003924840.tif 000002
【図２】
0003924840.tif 000003
【図３】
0003924840.tif 000004
【図４】
0003924840.tif 000005
【図５】
0003924840.tif 000006
【図６】
0003924840.tif 000007
【図７】
0003924840.tif 000008